(57)【要約】【課題】農作業機の作業モードを、農作業区画毎に要求されている農作業仕様を満たすように、簡単かつ確実に設定できる技術を提供する。【解決手段】種々の作業モードで作業可能な農作業機１には、選択された目標農作業区画のための農作業情報を、農作業区画毎の農作業情報を格納している管理センタのデータベースから読み出す通信部５と、作業モードを設定する作業モード設定部４６と、作業モード設定部で設定された設定作業モードとデータベースから読み出された農作業情報に含まれている登録作業モードとを比較する作業モード比較部５３と、読み出された農作業情報及びモード比較部による比較結果の内容をディスプレイに表示するために表示データを生成する表示データ生成部５５とを備えられている。【選択図】図１
2014138570.tif 000002
【特許請求の範囲】
【請求項１】
種々の作業モードで作業可能な農作業機であって、
選択された目標農作業区画のための農作業情報を、農作業区画毎の農作業情報を格納している管理センタのデータベースから、通信回線を用いて読み出すことができる通信部と、
前記作業モードを設定する作業モード設定部と、
前記作業モード設定部で設定された設定作業モードと前記データベースから読み出された農作業情報に含まれている登録作業モードとを比較する作業モード比較部と、
前記通信部によって読み出された農作業情報及び前記作業モード比較部による比較結果をディスプレイに表示するために、前記農作業情報及び前記比較結果に基づく表示データを生成する表示データ生成部と、
を備えた農作業機。
【請求項２】
前記設定作業モードまたは前記登録作業モードを変更するモード変更指令を出力するモード変更指令出力部が備えられている請求項１に記載の農作業機。
【請求項３】
前記目標農作業区画の選択が、位置検出部によって検出された現在位置に基づいて行われる請求項２に記載の農作業機。
【請求項４】
作業終了時に、前記作業モードで実施された農作業の評価情報を出力する作業評価情報出力部が備えられ、表示データ生成部は前記評価情報の内容をディスプレイに表示するために前記評価情報に基づく表示データを生成する請求項１から３のいずれか一項に記載の農作業機。
【請求項５】
前記評価情報は前記通信部を介して前記管理センタに送られる請求項４に記載の農作業機。
【請求項６】
作業モード別の作業機操作ガイド情報を格納するガイド情報格納部と、作業用機器の状態を監視する機器監視部とが備えられ、前記機器監視部からの指令に基づいて、監視対象である作業用機器の作業機操作ガイド情報が前記ガイド情報格納部から読み出され、前記表示データ生成部に与えられる請求項１から５のいずれか一項に記載の農作業機。
【請求項７】
前記通信部が、前記農作業機に備えられた通信部とデータ通信可能な携帯通信端末であり、当該携帯通信端末には前記作業モード比較部と前記表示データ生成部とが構築されている請求項１から６のいずれか一項に記載の農作業機。
【請求項８】
種々の作業モードのうち作業モード設定部で設定された作業モードで農作業を実施する農作業機とデータ通信可能な携帯通信端末に搭載される農作業管理プログラムであって、
選択された目標農作業区画のための農作業情報を、農作業区画毎の農作業情報を格納している管理センタのデータベースから、通信回線を用いて読み出すことができる農作業情報取得機能と、
前記作業モード設定部で設定された設定作業モードと前記データベースから読み出された農作業情報に含まれている登録作業モードとを比較して比較結果を出力する作業モード比較機能と、
前記読み出された農作業情報及び前記比較結果の内容をディスプレイに表示するために、前記農作業情報及び前記比較結果に基づく表示データを生成する表示データ生成機能と、をコンピュータに実行させる農作業管理プログラム。
【発明の詳細な説明】
【技術分野】
【０００１】
本発明は、種々の作業モードで作業可能な農作業機と、この農作機とデータ通信可能な通信部に搭載される農作業管理プログラムとに関する。
【背景技術】
【０００２】
近年、個人または法人が所有する農作業機を用いて点在する圃場を移動しながら農作業を行う委託業務が増加している。多くの圃場に対して種々の農作業を計画して実施される農作業が管理センタで管理される。
【０００３】
例えば、特許文献１には、圃場単位での作業を効率よく行うことを意図した農業用管理システムが開示されている。この農業用管理システムでは、農業機械は、ＧＰＳ衛星からの電波の受信により自機の位置を割り出し、その周辺に位置する圃場を示す地図を当該圃場に識別番号を付与して、情報端末モニタの画面に表示する。また、この情報端末モニタを制御する電子制御機器には、前記農業機械が位置する圃場に関する圃場識別情報を含む各種情報を無線通信により発信する携帯端末が接続される。これにより、基地局に設けられホストコンピュータが携帯端末からの情報を受信することができる。電子制御機器は、この農業機械が位置する圃場の識別番号が情報端末モニタから入力されると、ＧＰＳ衛星からの電波の受信により割り出した農業機械が位置する圃場の圃場識別番号が間違っていると、情報端末モニタから入力された正しい圃場識別番号を用いて修正することができる。
【０００４】
また、農地を区画化し、その区画毎の農作業車の作業を記録する農作業機管理装置が、特許文献２から知られている。この管理装置の管理端末機には、作業車のコントローラと通信できる通信手段、ＤＶＤから地図データを読み出すことができるＤＶＤ読取装置と、ＧＰＳ受信機とジャイロセンサとが備えられている。これにより、管理装置は、地図データから作業場の外形を取り込み、取り込んだ作業場の地図データを区画化し、そこに局所的な情報（電柱などの障害物の存在）を記録する。さらに、農作業車がコンバインの場合、収穫作業で得られた籾の総排出量を圃場全体の収穫量として入力することができる。
【０００５】
コンバインによる農作業現場においてグレンタンクからの籾排出や燃料補充などの操作に関し、適切に対処することができるように、地上側作業者に携帯電話を通じて情報を与える技術が、特許文献３に開示されている。ここでは、携帯電話がコンバインで生成された情報の表示手段として構成されており、作業者が携帯する携帯電話にグレンタンク充填量や燃料残量を表示することができるので、作業者は、コンバインの機外にいてもコンバインの燃料状況やグレンタンクの充填状況を把握することができる。
【先行技術文献】
【特許文献】
【０００６】
【特許文献１】特開２００７−２４８３４７号公報
【特許文献２】特開２００４−２１３２３９号公報
【特許文献３】特開２００６−１２１９２４号公報
【発明の概要】
【発明が解決しようとする課題】
【０００７】
農作業機に接続可能な携帯電話やスマートフォンなどの携帯通信端末を用いることにより、農作業機で生成された情報を携帯電話で確認することや、そのような情報を管理センタに伝送して記録するとは可能となっている。しかしながら、冒頭部に述べたような委託業務を行う作業者にとっては、同様な農作業においても農作業区画（例えば、畦などで境界づけられた圃場）毎に異なった仕様が要求されており、その仕様に合わせた農作業を実行することが重要な課題となっている。例えば、稲刈り作業の場合、圃場毎に、刈取り高さ、わらの処理方法（カッタ作業またはドロッパ作業）、わらの切断長さなど、異なる仕様が要求されている。このような農作業の異なる仕様に農作業機を適応させるために、農作業機にはそれらの仕様に合わせた複数の作業モードが設定可能に用意されているが、農作業区画毎に異なる作業仕様を満たすべく農作業機をそのつど正しい作業モードに設定することは、作業者に大きな負担を与えていた。
このような実情に鑑み、本発明の目的は、農作業機の作業モードを、農作業区画毎に要求されている農作業仕様を満たすように、簡単かつ確実に設定できる技術を提供することである。
【課題を解決するための手段】
【０００８】
上記目的を達成するため、本発明による農作業機は、種々の作業モードで作業可能であるとともに、選択された目標農作業区画のための農作業情報を、農作業区画毎の農作業情報を格納している管理センタのデータベースから、通信回線を用いて読み出すことができる通信部と、前記作業モードを設定する作業モード設定部と、前記作業モード設定部で設定された設定作業モードと前記データベースから読み出された農作業情報に含まれている登録作業モードとを比較する作業モード比較部と、前記通信部によって読み出された農作業情報及び前記作業モード比較部による比較結果をディスプレイに表示するために、前記農作業情報及び前記比較結果に基づく表示データを生成する表示データ生成部とを備えている。
【０００９】
この構成によれば、これから農作業を行うべき目標農作業区画（畦などで境界づけられた圃場など）が選択されると、この目標農作業区画に割り当てられている登録作業モードが管理センタのデータベースから送られてくる。さらに、この登録作業モードとその時点で農作業機に設定されている設定作業モードとを比較し、その比較結果をディスプレイに表示するための表示データが生成される。したがって、作業車は、ディスプレイに表示される比較結果を通じて、現状の農作業機に設定されている作業モードと予め管理センタに登録されている作業モードが一致しているかどうかを簡単かつ確実に把握することができる。作業モードには、種々の作業を行うために規定されている作業用機器の設定パラメータなどが含まれている。その結果、適切な作業モードで農作業を実施することができる。
【００１０】
なお、作業モードに含まれている具体的なパラメータとしては、例えば、農作業機がコンバインの場合では、稲作圃場、麦作圃場、カッタ圃場（わらをカットして放出する）、ドロッパ圃場（わらをカットせずに放出する）、種もみ圃場、などの圃場状態に基づくパラメータ、さらに刈取り高さ、走行速度、などの作業機パラメータが挙げられる。
【００１１】
現状の農作業機に設定されている作業モードと予め管理センタに登録されている作業モードが一致していない場合、通常は農作業機の設定作業モードを登録作業モードに合わせて変更することになる。しかしながら、明らかに、これから農作業機を用いて作業を行う農作業区画に対する作業モードとして登録作業モードが適切でないような場合、例えば、農作業区画が稲作圃場であるのにもかかわらず登録作業モードが麦作用の作業モードになっているような場合では、登録作業モードを適切に変更する必要がある。このため、本発明の好適な実施形態の１つでは、前記設定作業モードまたは前記登録作業モードを変更するモード変更指令を出力するモード変更指令出力部が備えられている。
【００１２】
農家から委託されて農作業を行う作業者は、その作業対象となる目標農作業区画（特定農家から農作業を委託された圃場)の選択が目視だけでは困難な場合が少なくない。このため、本発明の好適な実施形態の１つでは、目標農作業区画の選択が前記位置検出部によって検出された現在位置に基づいて行われるように構成されている。この構成によれば、目視による確認ではなく、ＧＰＳモジュールや方位センサなどを用いた位置検出に基づくため、目標農作業区画の正確な選択が可能となる。
【００１３】
本発明の好適な実施形態の１つでは、作業終了時に、前記作業モードで実施された農作業の評価情報を出力する作業評価情報出力部が備えられ、表示データ生成部は前記評価情報の内容をディスプレイに表示するために前記評価情報に基づく表示データを生成する。この構成によれば、終了した作業に関する情報、例えば、作業機の作業時間や作業走行距離、作業対象となった農産物の状態などを示す測定結果などを、表示データに基づく表示で目視することが可能となる。またこのような評価情報は、作業時現場情報として今後の営農戦略に役立てることができるので、通信部を介して管理センタに送られ、そこで管理されると好都合である。
【００１４】
また、通信部の仲介によって農作業機と管理センタとの間でデータ交換を行うことができる仕組みを利用して、作業中において有益な情報を作業者に報知できるなら、好都合である。特に有益な報知情報は、農作業機に備えられている作業用機器の動作を適切に維持するために要求されるような情報である。このため、本発明の好適な実施形態の１つでは、作業モード別の作業機操作ガイド情報を格納するガイド情報格納部と、作業用機器の状態を監視する機器監視部とが備えられ、前記機器監視部からの指令に基づいて、監視対象である作業用機器の作業機操作ガイド情報が前記ガイド情報格納部から読み出され、前記表示データ生成部に与えられる。
【００１５】
スマートフォンやタブレットコンピュータなどの携帯通信端末は、通信機能や表示機能を備えているとともに、プログラムをインストールすることにより、種々のデータ処理を行うことができる。また、このような携帯通信端末と農作業機に装備されている車載ＬＡＮとを接続する規格も整っている。このことから、本発明の好適な実施形態の１つでは、前記通信部が前記農作業機に備えられた通信部とデータ通信可能な携帯通信端末であり、当該携帯通信端末に前記作業モード比較部と前記表示データ生成部が構築されている。
【００１６】
本発明の主題は、種々の作業モードのうち作業モード設定部で設定された作業モードで農作業を実施する農作業機とデータ通信可能な携帯通信端末に搭載される農作業管理プログラムも及んでいる。そのような本発明による農作業管理プログラムは、選択された目標農作業区画のための農作業情報を、農作業区画毎の農作業情報を格納している管理センタのデータベースから、通信回線を用いて読み出すことができる農作業情報取得機能と、前記農作業機の作業モード設定部で設定された設定作業モードと前記データベースから読み出された農作業情報に含まれている登録作業モードとを比較して比較結果を出力する作業モード比較機能と、前記読み出された農作業情報及び前記比較結果をディスプレイに表示するために、前記農作業情報及び前記比較結果に基づく表示データをを生成する表示データ生成機能とをコンピュータに実行させる。このコンピュータプログラムによる作用効果は、上述した農作業機の対応する機能に関して述べたものと同じである。
【図面の簡単な説明】
【００１７】
【図１】本発明の基本原理を説明する模式図である。
【図２】本発明の具体的な実施形態の１つにおける農作業機としてのコンバインの側面図である。
【図３】コンバインとスマートフォンと管理センタとに構築された、本発明に関する機能部を示す機能ブロック図である。
【図４】コンバインとスマートフォンと管理センタとにおける処理、及びそれらの間のデータの流れを示すチャート図である。
【図５】コンバインとスマートフォンと管理センタとにおける処理、及びそれらの間のデータの流れを示すチャート図である。
【図６】スマートフォンのディスプレイ画面の一例を示す画面図である。
【図７】スマートフォンのディスプレイ画面の一例を示す画面図である。
【図８】スマートフォンのディスプレイ画面の一例を示す画面図である。
【発明を実施するための形態】
【００１８】
本発明の具体的な実施形態を説明する前に、図１を用いて本発明の基本原理を説明する。図１では、農作業機１と通信端末５と管理センタにおけるコンピュータシステム６とからなる営農モデルが示されている。農作業機１は、種々の処理機能をソフトウエアまたはハードウエアあるいはその両方によって構築するＥＣＵと呼ばれる制御ユニットを備えている。この制御ユニットには、例えば、農作業を行うための各種動作機器からなる作業用機器群３０を制御する作業用機器制御部４７と、作業モード設定部４６とが備えられている。農作業機１は種々の作業形態を実現するための作業モードを備えているが、作業モード設定部４６は、この作業モードに含まれている作業用機器群３０のための作業パラメータを作業用機器制御部４７に設定する。さらに、制御ユニットには、１単位の農作業が終了した時点で、その農作業の実施状況を評価して、作業評価情報を生成する作業評価情報出力部４８も備えられている。作業評価情報には、作業量や作業時間などが含まれている。
【００１９】
通信端末５は、農作業機１の制御ユニットおよびコンピュータシステム６とデータ通信可能に接続することができる。通信端末５は、農作業機１に設置された固定式でもよいが、作業者が持参する携帯通信端末でもよい。いずれの形態であっても、この発明では、農作業機１には、データ通信が可能な通信部として通信端末５が備えられている。通信端末５とコンピュータシステム６との間のデータ通信には携帯電話回線やインターネットなどのＷＡＮが適している。また、通信端末５と農作業機１の制御ユニットとの間のデータ通信には無線ＬＡＮなどの近距離通信が適しているが有線通信でもよい。
【００２０】
農作業機１は、作業現場である目標作業区画（以下単に圃場と称する）に到着すると、その圃場の地図的な位置を測定して、圃場位置を示すデータを取得し、通信端末５を用いて通信回線経由で、管理センタ側のサーバまたはクラウドシステムとして機能するコンピュータシステム６に位置データを送る。コンピュータシステム６では、データベース６５にアクセスして当該圃場に割り当てられている作業モードを示す登録作業モードを抽出して、通信端末５に返す。同時に、農作業機１に備えられている作業モード設定部４６から現時点で設定されている作業モードである設定作業モードが読み出される。
【００２１】
取得された登録作業モードと設定作業モードとが作業モード比較部５３で比較され、それぞれの作業モードを構成しているパラメータに違いがないどうかチェックされる。その比較結果を示す内容が、表示データ生成部５５で表示データ化され、液晶ディスプレイなどの表示デバイスに表示される。例えば、管理センタのコンピュータシステム６においてこの圃場には稲作が割り当てられているのに対して、農作業機１の作業モードが麦作仕様に設定されている場合には、「この圃場は麦作である」との表示がなされ、作業者に注意を促す。あるいは、登録作業モードと設定作業モードの各パラメータを対比的にリスト表示して、異なっている項目をハイライト表示することで作業者に注意を促してもよい。
【００２２】
登録作業モードと設定作業モードとの間に違いがあれば、自動的にまたは作業者による操作入力を通じて、間違っている方の作業モードが変更される。例えば、農作業機１のモード設定が間違っていると判断されると、相応な作業モード変更指令を作業モード設定部４６に送って、設定作業モードを変更する。作業者が直接的に作業モード設定部４６に操作入力を与えて変更してもよい。作業モード設定部４６に作業モード変更指令が与えられた場合には、作業モード設定部４６は該当する作業用機器の作業用機器制御部４７に適切な変更指令を与えることで、受け取った作業モード変更指令に基づいて作業モードが再設定される。逆にコンピュータシステム６に格納されていた登録作業モードが間違っていると判断されると、通信回線を通じて適切な作業モード変更指令をコンピュータシステム６に送って、データベース６５に登録されている登録作業モードを書き換える。
【００２３】
上述したような、通信端末５を中継とする農作業機１と管理センタ側のコンピュータシステム６との間の双方向データ通信を利用して、作業後には以下のようなデータ伝送も可能である。この農作業機１には、作業の実施中にセンサ群２０のいずれかによって取得された作業に関するデータを蓄積する機能が備えられている。このデータには、作業走行距離や作業時間などの作業機情報だけでなく、農作業機１が農作物の収穫機である場合、収穫物の品質データや収量データなどの農作物データも含まれ、これらのデータは農作業の評価情報として農作業機１から出力され、通信端末５に送られる。通信端末５では、受け取った評価情報が表示デバイスに表示されるとともに、コンピュータシステム６にも転送される。コンピュータシステム６で受け取られた評価情報は、その圃場に関する情報（圃場情報）と関連付けてデータベース化され格納される。圃場情報には、圃場番号、圃場の所有者、圃場住所、圃場の位置、圃場の作付種などを含ませることができる。
【００２４】
次に、図面を用いて、本発明に係る農作業機の具体的な実施形態の１つを説明する。図２は、農作業機の一例であるコンバイン１の側面図である。
このコンバイン１はクローラ式の自脱型コンバイン１であり、走行機構はエンジンによって回転駆動されるクローラ走行装置１１を備えており、前部に刈取部１２、中間部に運転室１３、後部に脱穀装置１４と穀粒タンク１５を備えている。模式的にしか示されていないが、穀粒タンク１５の下部に、収穫された穀粒の重量を検出する収量センサ２１が装備され、穀粒タンク１５の内部に、品質センサの一例である食味計（食味センサユニット）２２が装備されている。食味計２２からは、品質データとして穀粒の水分値とタンパク値の測定データが出力される。収量センサ２１や食味計２２はセンサ群２０の構成要素である。
【００２５】
図示されていないが、運転室１３には、運転席１６に着座した作業者によって操作される、各種操縦レバーや操作スイッチ、作業者に各種情報を報知するメータ表示パネルなどが配置されている。さらに、この実施形態では、通信端末５は、作業者が持参するスマートフォンであり、本発明を実現するために必要な種々の機能がアプリとしてインストールされている。スマートフォン５は、その標準的な機能を用いて、携帯電話通信回線及びインターネットを介して、管理センタのコンピュータシステム６とデータ通信可能に接続できるとともに、ＷｉＦｉなどの近距離通信プロトコルを用いてコンバイン１に搭載されたＥＣＵ（電子制御ユニット）とデータ通信可能に接続できる。
【００２６】
図３には、コンバイン１のＥＣＵ、スマートフォン５、管理センタのコンピュータシステム６に構築されている、特に本発明に関する機能を示す機能ブロック部が示されている。
【００２７】
コンバイン１のＥＣＵには、近距離通信部４２、機器監視部４３、ガイド情報格納部４４、センサ信号評価部４５、作業モード設定部４６、作業用機器制御部４７、作業評価情報出力部４８が備えられている。近距離通信部４２は、スマートフォン５との間でデータ通信を行うためのものであり、無線ＬＡＮまたはブルートゥース（商標名）の規格で動作する。機器監視部４３は、コンバイン１に装備された種々の機器の状態を監視するものであり、例えば、センサ不良、油圧不良、操作エラーなどを検知して、必要な指令を出力する。ガイド情報格納部４４には、作業モード別の作業機操作ガイド情報を格納されている。特定の作業モードに基づいて作業が実施されている間に生じる操作上の不都合や作業用機器の不具合などが検知された場合に、作業者に対して有益な操作情報がスマートフォン５に送信される。この有益な操作情報が、作業機操作ガイド情報に含まれている。例えば、作業用機器の状態を監視している機器監視部４３が何らかの不都合を検知すると、機器監視部４３からの指令に基づいて監視対象となっている作業用機器群３０における不具合や操作手順などの有益な操作情報がスマートフォン５に送信される。センサ信号評価部４５は、作業用機器群３０のためのセンサのみならず、収量センサ２１や食味計２２とも接続され、品質データとして穀粒の収穫量及び穀粒の水分値やタンパク値などに関するデータを出力する。作業モード設定部４６はコンバイン１がこれから行う農作業の作業モードを設定するものである。各作業モードには多数の作業用機器群３０に対する設定用のパラメータが含まれているので、作業モード設定部４６は、特定の作業モードを作り出すための作業用機器群３０のパラメータを作業用機器制御部４７に与える。作業用機器制御部４７は、与えられた作業用機器群３０のパラメータに基づいて作業用機器群３０を実施すべき作業モードに合うように調整する。作業評価情報出力部４８は、一単位の圃場における収穫作業の終了時に、当該圃場で実施された農作業の評価情報である、作業走行距離、作業時間、穀粒の収穫量、穀粒の水分値とタンパク値、などのデータを、当該圃場の情報とともに所定のフォーマットで出力する。
【００２８】
スマートフォン５には、ＧＰＳモジュール５０、遠距離通信部５１、近距離通信部５２、作業モード比較部５３、モード変更指令出力部５４、表示データ生成部５５、操作入力評価部５６などが備えられている。ＧＰＳモジュール５０は、全地球方位システムの原理で絶対位置を経緯度で測定する機能を有するので、この測位データによりスマートフォン５、すなわち実質的にはコンバイン１の地図上の位置を得ることができる。ＧＰＳモジュールはカーナビゲーションにも内蔵されているので、コンバイン１にカーナビゲーションが搭載され、ＥＣＵと接続されている場合には、コンバイン１からコンバイン位置を取得するように構成してもよい。遠距離通信部５１は、携帯電話回線を介してインターネットに接続可能な通信モジュールを有しており、インターネットに接続されたコンピュータシステム６との間でデータ通信を行うことができる。近距離通信部５２は、コンバイン１の近距離通信部４２との間でデータ通信を行うものである。作業モード比較部５３は、管理センタのコンピュータシステム６に圃場別で予め登録されているコンバイン農作業のための登録作業モードと、現状のコンバイン１に設定されている設定作業モードとに相違があるかどうかをチェックする。モード変更指令出力部５４は、作業モード比較部５３によって登録作業モードと設定作業モードとが相違するとみなされた場合、いずれかの作業モードを変更するためのモード変更指令を出力する。基本的には、コンバイン１の作業モードが正しく設定されていないとみなされ、現状の設定作業モードの内容が登録作業モードの内容に変更されるモード変更指令が出力されることになる。しかしながら、明らかに登録ミスといったケースでは、作業者の判断に基づいて、ないしは作業者による依頼主への問い合わせ結果に基づいて、登録作業モードの内容を変更するモード変更指令が出力される。登録作業モードを変更するというモード変更指令の出力は、作業者のタッチパネル５ｂへの操作入力を通じて実行される。作業モード比較部５３による比較結果を作業者が確認できるように、この比較結果は、表示データ生成部５５によって表示データ化され、液晶などのディスプレイ５ａ、つまりスマートフォン５の表示画面に表示される。この表示データ生成部５５は、基本的にはスマートフォン５に基本機能として組み込まれているものである。タッチパネル５ｂへの操作入力に基づいて作業者の操作意図を解釈する操作入力評価部５６も、スマートフォン５に基本機能として組み込まれているものである。
【００２９】
コンピュータシステム６は、入出力サーバ６Ａとアプリケーションサーバ６Ｂとデータベースサーバ６Ｃとを備えている。入出力サーバ６Ａには、スマートフォン５から受け取ったデータをアプリケーションサーバ６Ｂやデータベースサーバ６Ｃに転送するデータ入力処理機能、及びアプリケーションサーバ６Ｂで生成されたデータやデータベースサーバ６Ｃから抽出されたデータをスマートフォン５に送信するデータ出力機能を備えており、この実施形態では、Ｗｅｂサーバとして構成されている。なお、入出力サーバ６Ａとアプリケーションサーバ６Ｂとデータベースサーバ６Ｃは１つの統合されたコンピュータシステムに構築されるのではなく、クラウドシステムのような分散化ないしは仮想化されたコンピュータシステムであってもよい。
【００３０】
アプリケーションサーバ６Ｂには、圃場管理部６１と農作業管理部６２とがソフトウエアで構築されている。圃場管理部６１は、農家や農業団体などからの情報入力に基づいて、圃場番号、圃場名称、圃場住所、圃場地図位置、圃場形状、圃場面積、圃場作付け種など圃場に関する情報である圃場情報をデータベースサーバ６Ｃと連携して管理する。農作業管理部６２は、主にコンバインなどの農作業機ないしは農作業機を使用している作業員のスマートフォン５から送られてくる田植え、草取り、薬剤散布、施肥、刈取り収穫などの圃場別の農作業に関する情報である農作業情報をデータベースサーバ６Ｃと連携して管理する。この実施形態では、データベースサーバ６Ｃには、本発明に特に関係するデータベースとして農作業データベース６５、圃場地図データベース６６、作業評価データベース６７が含まれている。農作業データベース６５は、上記の圃場情報や農作業情報を格納する。なお、農作業情報には、コンバイン１の作業モードである登録作業モードを示すデータが含まれている。圃場地図データベース６６には、圃場番号や地図位置などにリンクされた圃場の地図が格納されており、圃場番号や圃場地図位置を検索条件として、適合する圃場及びその周辺の地図データを抽出して出力することができる。作業評価データベース６７は、コンバイン１の作業評価情報出力部４８からスマートフォン５を介して送られてくる評価情報を圃場情報とリンクさせて格納する。評価情報は、圃場別に過去分のデータも含めて格納されているので、同一圃場の継時的評価を行うためにも利用される。
【００３１】
上述した構成を有する営農システムにおけるコンバイン１とスマートフォン５とコンピュータシステム６における処理とそれらの間のデータの流れを、図４と図５に分割して示されたチャート図を用いて説明する。
このコンバイン１が収穫作業対象となる圃場の近辺に到達すると、作業者の操作入力に基づいて、スマートフォン５のＧＰＳモジュール５０によって、スマートフォン５（＝コンバイン１）の現在位置を示す測位データ（緯度・経度）が生成され、圃場地図の要求に組み込まれて管理センタのコンピュータシステム６に送られる（＃０１）。圃場管理部６１は、圃場地図の要求に応答して、圃場地図データベース６６から抽出された該当する圃場の地図データ及び農作業データベース６５から抽出された該当する圃場の圃場情報を送り出す（＃０３）。スマートフォン５では、表示データ生成部５５が受け取った地図データから、図６に示すような圃場地図を生成して、ディスプレイ５ａに表示する（＃０５）。この表示画面は圃場選択画面となっており、作業者がこれから作業しようする圃場をクリック選択し、圃場選択ボタンを押すことで、作業すべき圃場が確定される（＃０７）。なお、このような地図を用いた圃場選択に変えて、圃場に圃場番号が示されているような場合には、直接圃場番号を入力してコンピュータシステム６に送ってもよい。作業圃場が確定されると、選択された圃場の圃場番号がコンピュータシステム６に送られる（＃０９）。同時に、選択された圃場の圃場情報が、図７に示すように、ディスプレイ５ａに表示される（＃１１）。コンピュータシステム６側では、農作業管理部６２が、受け取った圃場の識別番号から、当該圃場に割り当てられている農作業を行うための登録作業モードを農作業データベース６５から読み出して、スマートフォン５に送り出す（＃１３）。また、同時に、スマートフォン５は、コンバイン１と近距離通信を行い、設定作業モードの転送を要求する（＃１５）。この転送要求に応答して、作業モード設定部４６が現状の設定作業モードを読み出して、スマートフォン５に送り出す（＃１７）。
【００３２】
続いて、作業モード比較部５３が、コンピュータシステム６から受け取った登録作業モードと、コンバイン１から受け取った設定作業モードを比較して、互いの作業モードに含まれているパラメータが一致するかチェックする（＃２１）。この比較結果は、表示データ化され、ディスプレイ５ａに表示される（＃２３）。表示される内容としては、実際は稲の収穫なのに設定作業モードでは麦モードになっていることを警告する通知、登録作業モードではドロッパ圃場であるのに設定作業モードではカッタ圃場になっていることを警告する通知などである。登録作業モードと設定作業モードとが一致している場合には、その旨の表示がなされる。登録作業モードと設定作業モードとが不一致の場合には、登録作業モードと設定作業モードのいずれかの変更が必要になるので、モード変更指令出力部５４が作業者の操作入力に基づいて変更指令を生成する（＃２５）。登録作業モードに対する変更が要求されると、コンピュータシステム６に登録変更指令が送信され、農作業データベース６５の該当データが書き換えられる（＃２７）。逆に、設定作業モードに対する変更が要求されると、コンバイン１に設定変更指令が送信され、作業モード設定部４６によって作業モードの設定変更が行われる（＃２９）。
【００３３】
作業モードが最終的に確定されると、作業者が作業開始を操作入力することで、スマートフォン５から作業開始指令がコンバイン１に送られる（＃４１）。作業開始指令に応答して、機器監視処理がこの作業の終了まで実行される。この機器監視処理では、機器監視部４２が、ガイド情報格納部４４から読み出した作業機操作ガイド情報に基づいて、作業用機器の状況や作業者の操作が所定通りであるかどうかチェックされ、作業者に必要な作業機操作ガイド情報が生成される（＃４３）。生成された作業機操作ガイド情報は、近距離通信を通じてスマートフォン５に送り出される。スマートフォン５に受け取られた作業機操作ガイド情報は、表示データ生成部５５で表示データ化され、ディスプレイ５ａに表示される（＃４５）。その表示内容は、例えば、「収量計測スイッチを押して下さい」「食味センサのレンズを確認して下さい」「アンローダを収納して下さい」などである。
【００３４】
作業が終了すると、作業者が作業終了を操作入力することで、スマートフォン５から作業評価情報要求がコンバイン１に送られる（＃５１）。作業評価情報要求に応答して、作業評価情報出力部４８は、設定作業モードで実施された農作業の評価情報を生成して、スマートフォン５に送り出す（＃５３）。評価情報は、圃場情報、作業機情報、作業モード、作業者情報、収穫物情報、作業結果情報などから構成されている。圃場情報には、圃場名称、圃場住所、圃場コード、面積、作付け種などが含まれている。作業機情報には、機械番号、名称、形式コードなどが含まれている。作業者情報には、作業者識別コード、氏名などが含まれている。収穫物情報には、収量、穀粒水分、穀粒タンパク度などが含まれている。作業結果情報には、作業時間、作業走行距離、燃料消費量などが含まれている。なお、作業モードを規定する作業項目としては、カッタ作業、ドロッパ作業、わら切断長さ、わら拡散要否、などが挙げられる。
【００３５】
スマートフォン５で受け取られた評価情報は、一方では、管理センタのコンピュータシステム６に転送され、作業評価データベース６７に登録される（＃５５）。他方では、評価情報は、表示データ生成部５５によって表示データ化され、例えば図８に示すように、ディスプレイ５ａに表示される（＃５８）。作業者が作業終了を操作入力することで（＃６１）、スマートフォン５から作業終了指令がコンバイン１に送られる（＃６３）。次の圃場での作業が残っていれば、再び圃場選択を行って上述した作業を繰り返す（＃６５）。
【００３６】
〔別実施の形態〕
（１）上述した実施形態では、農作業機としてコンバインが、携帯通信端末としてスマートフォンが取り扱われた。それ以外の本発明を適用することができる作業機としては、トラクタ、田植機、施肥機、薬剤散布機、草刈機などが挙げられる。その他の携帯通信端末としては、タブレット型パソコン、ノート型パソコン、ナビゲータ機器などが挙げられる。
（２）上述した実施形態では、スマートフォン５のアプリインストール機能を利用して、本発明における重要な機能である作業モード比較部５３やモード変更指令出力部５４はスマートフォン５に構築されたが、スマートフォン５が本来から備えているデータ表示機能、操作入力機能、通信機能だけを用い、その他のコンピュータ処理機能を、コンバイン１のＥＣＵあるいは管理センタのコンピュータシステム６に構築してもよい。つまり、本発明の実現のために必要なコンピュータ処理機能を、コンバイン１、携帯通信端末５、コンピュータシステム６にどのように分散しても、本発明の枠内に入る。
（３）上述した実施形態では、作業者に対する各種情報の表示には、スマートフォン５のディスプレイ５ａが用いられてが、コンバイン側のディスプレイを用いてもよいし、それらを併用してもよい。
【産業上の利用可能性】
【００３７】
本発明は、農作業機と携帯通信端末と管理センタとの間で作業モードに関するデータ交換を行うシステムに適用することができる。
【符号の説明】
【００３８】
１：コンバイン（農作業機）
４２：近距離通信部
４３：機器監視部
４４：ガイド情報格納部
４５：センサ信号評価部
４６：作業モード設定部
４７：作業用機器制御部
４８：作業評価情報出力部
５：スマートフォン（携帯通信端末、通信部）
５０：ＧＰＳモジュール
５１：遠距離通信部
５２：近距離通信部
５３：作業モード比較部
５４：モード変更指令出力部
５５：表示データ生成部
５６：操作入力評価部
６：コンピュータシステム（管理センタ）
６Ａ：入出力サーバ
６Ｂ：アプリケーションサーバ
６Ｃ：データベースサーバ
６１：圃場管理部
６２：農作業管理部
６５：農作業データベース
６６：圃場地図データベース
６７：作業評価データベース
【図１】
2014138570.tif 000003
【図２】
2014138570.tif 000004
【図３】
2014138570.tif 000005
【図４】
2014138570.tif 000006
【図５】
2014138570.tif 000007
【図６】
2014138570.tif 000008
【図７】
2014138570.tif 000009
【図８】
2014138570.tif 000010